(57)【要約】【課題】  プリント基板保持構造において、組立工数を削減する。【解決手段】  保持部材１は、中央部にプリント基板の外形よりも小さい外形形状を有する孔２が設けられ、全体がプラスチックによって四つの辺３，４，５，６によって枠状に形成されている。保持部材１の隣接する二辺３，４の表面および裏面のそれぞれに弾性係合片１０，１１，１５，１６が一体に設けられている。二辺３，４と対向する他辺５，６の表面および裏面のそれぞれには係合部１２，１３，１７，１８が一体に設けられている。これら弾性係合片１０，１１，１５，１６と係合部１２，１３，１７，１８とで二枚のプリント基板が保持部材１の表面および裏面のそれぞれに保持される。【選択図】  図１
2010062280.tif 000002
【特許請求の範囲】
【請求項１】
二枚のプリント基板を互いに間隔をおいて対向させた状態で保持するプリント基板保持構造であって、
中央部に前記プリント基板の外形よりも小さい外形形状を有する孔が設けられ全体がプラスチックによって四つの辺からなる枠状に形成された保持部材を備え、
前記保持部材の隣接する二辺の表面および裏面のそれぞれに保持部材の面方向に弾性変形可能な弾性係合片を一体に設け、
前記二辺と対向する他辺の表面および裏面のそれぞれに係合部を一体に設け、
これら弾性係合片と係合部とで二枚の前記プリント基板を前記保持部材の表面および裏面のそれぞれに保持することを特徴とするプリント基板保持構造。
【請求項２】
二枚の前記プリント基板のうちの一方のプリント基板を、非接触型ＩＣ媒体と非接触状態でデータの通信を行うアンテナを有するアンテナ基板とし、
他方のプリント基板を前記アンテナ基板を介して前記非接触型ＩＣ媒体に記録されているデータの読み・書きを行うデータ処理手段が搭載された制御基板としたことを特徴とする請求項１記載のプリント基板保持構造。
【発明の詳細な説明】
【技術分野】
【０００１】
本発明は、二枚のプリント基板を互いに間隔をおいて対向させた状態で保持するプリント基板保持構造に関するものである。
【背景技術】
【０００２】
この種のプリント基板保持構造として最も典型的なものは、二枚のプリント基板間にスリーブを介在させ、このスリーブ内を挿通させたボルトとこのボルトに螺合させたナットとによってプリント基板を保持するようにしている。この構造のものでは、少なくともプリント基板の四隅をスリーブを介してボルトで締結しなければならないため、作業が煩雑であるという問題があった。
【０００３】
この問題を解決するものとして、例えば、扁平な二部材間の四隅を四つのブロックによって着脱自在に連結し、これら四つのブロック間をテープ状の締結部材によって巻回するものがある（例えば、特許文献１参照）。
【特許文献１】特開２００２−１４９０８２号公報
【発明の開示】
【発明が解決しようとする課題】
【０００４】
上述した従来の保持構造においては、ブロックを取り付ける作業と締結部材を巻回する作業とが必要であり、かつ四つのブロックを個々に取り付けなければならないため組立工数が多くなるという問題があった。
【０００５】
本発明は上記した従来の問題に鑑みなされたものであり、その目的とするところは、組立工数を削減したプリント基板保持構造を提供するところにある。
【課題を解決するための手段】
【０００６】
この目的を達成するために、本発明は、二枚のプリント基板を互いに間隔をおいて対向させた状態で保持するプリント基板保持構造であって、中央部に前記プリント基板の外形よりも小さい外形形状を有する孔が設けられ全体がプラスチックによって四つの辺からなる枠状に形成された保持部材を備え、前記保持部材の隣接する二辺の表面および裏面のそれぞれに保持部材の面方向に弾性変形可能な弾性係合片を一体に設け、前記二辺と対向する他辺の表面および裏面のそれぞれに係合部を一体に設け、これら弾性係合片と係合部とで二枚の前記プリント基板を前記保持部材の表面および裏面のそれぞれに保持するものである。
【０００７】
本発明は、前記発明において、二枚の前記プリント基板のうちの一方のプリント基板を、非接触型ＩＣ媒体と非接触状態でデータの通信を行うアンテナを有するアンテナ基板とし、他方のプリント基板を前記アンテナ基板を介して前記非接触型ＩＣ媒体に記録されているデータの読み・書きを行うデータ処理手段が搭載された制御基板としたものである。
【発明の効果】
【０００８】
本発明によれば、プリント基板を保持する保持部材が一つであるため、保持部材へのプリント基板の取付け作業が一回で済むから組立工数を削減することができるとともに、弾性係合片を弾性変形させることにより、プリント基板が保持部材に保持できるため組立作業が容易になる。
【発明を実施するための最良の形態】
【０００９】
以下、本発明の実施の形態を図に基づいて説明する。図１は本発明に係るプリント基板保持構造を示し、同図（Ａ）は同図（Ｂ）におけるＩ（Ａ）矢視図、同図（Ｂ）は平面図、図２（Ａ）は同じく底面図、同図（Ｂ）は同図（Ａ）におけるII（Ｂ）矢視図、図３は同じく保持部材の平面図、図４は同じく保持部材の底面図、図５は図１（Ｂ）におけるV-V 線断面図、図６は図１（Ｂ）におけるVI-VI 線断面図である。
【００１０】
図３に全体を符号１で示す保持部材は、中央部に略正方形に形成された孔２が設けられ、全体がプラスチックによって四つの辺３，４，５，６からなる枠状に形成されており、外周部の全体に表面側と裏面側とのそれぞれに向かって凸条体７Ａ，７Ｂが一体に突設されている。孔２の内周部の辺３に対応した部位には段部２ａが設けられており、孔２の内周部の辺４に対応した部位には段部２ｂが設けられている。
【００１１】
辺３の表面部３Ａには、矢印Ｂ方向に延設され孔２の段部２ａに臨み保持部材１の面方向、すなわち矢印Ｃ−Ｄ方向に弾性変形可能な弾性係合片１０が一体に突設されており、この弾性係合片１０の矢印Ｄ方向の端部には、図６に示すように爪１０ａが設けられている。また、辺３に隣接する辺４の表面部４Ａには、矢印Ｄ方向に延設され孔２の段部２ｂに臨み保持部材１の面方向、すなわち矢印Ａ−Ｂ方向に弾性変形可能な弾性係合片１１が一体に突設されており、この弾性係合片１１の矢印Ａ方向の端部には、図５に示すように爪１１ａが設けられている。
【００１２】
図３において、辺３に対向する辺５の表面部５Ａには、図６に示すように断面がＬ字状に形成された係合部１２が一体に突設されている。図３において、辺４に対向する辺６の表面部６Ａには、断面がＬ字状に形成された係合部１３が一体に突設されている。
【００１３】
辺３の裏面部３Ｂには、図４に示すように矢印Ａ方向に延設され孔２の段部２ａに臨み保持部材１の面方向、すなわち矢印Ｃ−Ｄ方向に弾性変形可能な弾性係合片１５が一体に突設されており、この弾性係合片１５の矢印Ｄ方向の端部には、爪１５ａが設けられている。辺３に隣接する辺４の裏面部４Ｂには、矢印Ｃ方向に延設され孔２の段部２ｂに臨み保持部材１の面方向、すなわち矢印Ａ−Ｂ方向に弾性変形可能な弾性係合片１６が一体に突設されており、この弾性係合片１６の矢印Ａ方向の端部には、爪１６ａが設けられている。
【００１４】
図４において、辺３に対向する辺５の裏面部５Ｂには、図６に示すように断面がＬ字状に形成された係合部１７が一体に突設されている。図３において、辺４に対向する辺６の裏面部６Ｂには、断面がＬ字状に形成された係合部１８が一体に突設されている。保持部材１の四隅には、この保持部材１を図示を省略したＩＣ媒体処理装置に取り付けるための取付穴１９が設けられている。
【００１５】
図１（Ｂ）において、２０Ａは非接触型ＩＣ媒体（図示せず）と非接触状態でデータの通信を行うアンテナを有するアンテナ基板であって、四隅に切欠きが設けられ四つの辺２１Ａないし２４Ａによって上記した保持部材１の孔２の外形よりもわずかに大きな外形形状を有する略正方形に形成されている。このアンテナ基板２０Ａは、非接触型ＩＣ媒体と非接触状態でデータの通信を行う際に、ノイズの混入を避けるために後述する制御基板２０Ｂと離間し、制御基板２０Ｂから独立した基板構成としている。
【００１６】
図２（Ａ）において、２０Ｂは上記したアンテナ基板２０Ａを介して非接触型ＩＣ媒体に記録されているデータの読み・書きを行うデータ処理手段（いずれも図示せず）が搭載された制御基板である。この制御基板２０Ｂは上述したアンテナ基板２０Ａと同じ外形形状を有している。すなわち、制御基板２０Ｂは、四隅に切欠きが設けられ四つの辺２１Ｂないし２４Ｂによって上記した保持部材１の孔２の外形よりもわずかに大きな外形形状を有する略正方形に形成されている。この制御基板２０Ｂには外部インターフェース用コネクタ２６が実装されており、この制御基板２０Ｂとアンテナ基板２０Ａとは、連結ピン２７を介して電気的に接続されている。
【００１７】
次に、このように構成されたプリント基板保持構造において、アンテナ基板２０Ａと制御基板２０Ｂとを保持部材１に保持する方法について説明する。先ず、図１（Ｂ）に示すようにアンテナ基板２０Ａの辺２３Ａ，２４Ａを保持部材１の辺５，６の表面部５Ａ，６Ａに設けた係合部１２，１３に係合させる。次いで、保持部材１の辺３の表面部３Ａに設けた弾性係合片１０を矢印Ｃ方向に弾性変形させるとともに、辺４の表面部４Ａに設けた弾性係合片１１を矢印Ｂ方向に弾性変形させながら、弾性係合片１０の爪１０ａをプリント基板２０Ａの辺２１Ａに係合させるとともに、弾性係合片１１の爪１１ａをプリント基板２０Ａの辺２２Ａに係合させる。この状態で、プリント基板２０Ａの外周縁が保持部材１の孔２の外周縁に係合するから、プリント基板２０Ａは、弾性係合片１０，１１の爪１０ａ，１１ａおよび係合部１２，１３と保持部材１の孔２の外周縁とに挟持され、保持部材１の表面側に保持される。
【００１８】
次いで、図２（Ａ）に示すように制御基板２０Ｂの辺２３Ｂ，２４Ｂを保持部材１の辺５，６の裏面部５Ｂ，６Ｂに設けた係合部１７，１８に係合させる。次いで、保持部材１の辺３の裏面部３Ｂに設けた弾性係合片１５を矢印Ｃ方向に弾性変形させるとともに、辺４の裏面部４Ｂに設けた弾性係合片１６を矢印Ｂ方向に弾性変形させながら、弾性係合片１５の爪１５ａをプリント基板２０Ｂの辺２１Ｂに係合させるとともに、弾性係合片１６の爪１６ａをプリント基板２０Ｂの辺２２Ｂに係合させる。この状態で、プリント基板２０Ｂの外周縁が保持部材１の孔２の外周縁に係合するから、プリント基板２０Ｂは、弾性係合片１５，１６の爪１５ａ，１６ａおよび係合部１７，１８と保持部材１の孔２の外周縁とに挟持され、保持部材１の裏面側に保持される。
【００１９】
両基板２０Ａ，２０Ｂが保持された保持部材１は、取付孔１９を介して非接触型ＩＣ媒体処理装置の媒体載置部（いずれも図示せず）の近傍に取り付けられ、アンテナ基板２０Ａのアンテナと、媒体載置部に載置された媒体との間で非接触状態でデータの通信が行われ、アンテナ基板２０Ａに通信されてきたデータは、制御基板２０Ｂのデータ処理手段によってデータの読み・書きが行われる。
【００２０】
このように、アンテナ基板２０Ａおよび制御基板２０Ｂを保持する保持部材１が一つであるため、保持部材１への両基板２０Ａ，２０Ｂの取付け作業が一回で済むから組立工数を削減することができるとともに、弾性係合片１０，１１，１５，１６を弾性変形させることにより、両基板２０Ａ，２０Ｂが保持部材１に保持できるため組立作業が容易になる。
【００２１】
また、保持部材１は金型によってモールド加工されるが、上述した理由からアンテナ基板２０Ａが制御基板２０Ｂから独立した基板構成を必要とするため、このアンテナ基板２０Ａを必要とする非接触型ＩＣ媒体処理装置等の需要が高まることにより、必然的に保持部材１も大量生産されることになる。このため、保持部材１を形成するための金型の償却費を低減することが可能になるから、従来のようにスリーブおよびボルトで行う方法と比較して製造コストを低減することができる。
【図面の簡単な説明】
【００２２】
【図１】本発明に係るプリント基板保持構造を示し、同図（Ａ）は同図（Ｂ）におけるＩ（Ａ）矢視図、同図（Ｂ）は平面図である。
【図２】同図（Ａ）は本発明に係るプリント基板保持構造の底面図、同図（Ｂ）は同図（Ａ）におけるII（Ｂ）矢視図である。
【図３】本発明に係るプリント基板保持構造における保持部材の平面図である。
【図４】本発明に係るプリント基板保持構造における保持部材の底面図である。
【図５】図１（Ｂ）におけるV-V 線断面図である。
【図６】図１（Ｂ）におけるVI-VI 線断面図である。
【符号の説明】
【００２３】
１…保持部材、２…孔、３，４，５，６…辺、１０，１１，１５，１６…弾性係合片、１２，１３，１７，１８…係合部、２０Ａ…アンテナ基板、２０Ｂ…制御基板。
【図１】
2010062280.tif 000003
【図２】
2010062280.tif 000004
【図３】
2010062280.tif 000005
【図４】
2010062280.tif 000006
【図５】
2010062280.tif 000007
【図６】
2010062280.tif 000008